(57)【要約】【課題】複数の短冊状部材毎に表示素子を設ける場合において、配線パターンの複雑化を防止して製造コストの増加を抑制することが可能な扇形表示装置を提供する。【解決手段】扇形表示装置１は、それぞれに表示素子１０Ａを有する複数の短冊状部材２と、複数の短冊状部材２からなる集合体４を扇形状に開閉可能に接続する回転軸３と、表示素子１０Ａを表示制御する制御部２０と、を備える扇形表示装置１である。複数の短冊状部材２はそれぞれに表示素子１０Ａに接続する配線パターン２０Ａを有している。配線パターン２０Ａは、回転軸３を介して制御部２０に接続する。【選択図】図１
2008304591.tif 000002
【特許請求の範囲】
【請求項１】
それぞれに表示素子を有する複数の短冊状部材と、前記複数の短冊状部材からなる集合体を扇形状に開閉可能に接続する回動用部材と、前記表示素子を表示制御する制御手段と、を備える扇形表示装置であって、
前記複数の短冊状部材は、それぞれに前記表示素子に接続する配線パターンを有し、
前記配線パターンは、前記回動用部材を介して制御手段に接続する、
扇形表示装置。
【請求項２】
前記複数の短冊状部材は、互いに回動方向に対して分離可能な形状に形成されている、
請求項１に記載の扇形表示装置。
【請求項３】
前記集合体を扇形状に開いたときに、全ての前記表示素子で形成される表示領域は四角形状となるように設定されている、
請求項１または２に記載の扇形表示装置。
【請求項４】
前記表示素子は、有機ＥＬによって形成されている、
請求項１から３のいずれか１項に記載の扇形表示装置。
【発明の詳細な説明】
【技術分野】
【０００１】
この発明は、扇形状に形成された表示装置に関する。
【背景技術】
【０００２】
近年、薄膜平面ディスプレイを用いた扇形表示装置の開発が進められている。
【０００３】
このような扇形表示装置の中には、ディスプレイを蛇腹状に折り曲げてコンパクトに収納することが可能な扇形表示装置がある（特許文献１参照）。
【特許文献１】特開２００６−８５１６５号公報
【発明の開示】
【発明が解決しようとする課題】
【０００４】
しかしながら、特許文献１に示す扇形表示装置では、収納する毎にディスプレイに折り曲げ力が作用しディスプレイが破損させるおそれがあった。
【０００５】
そこで、現在、扇形状を形成する各短冊部材に表示素子をそれぞれ分離して設けた扇形表示装置の開発が検討されている。しかし、この場合には、短冊部材毎に設けられたディスプレイを形成する表示素子毎に制御部まで電気的に接続する必要があり、配線パターンが複雑化し製造コストの増加を招くという問題があった。
【０００６】
そこで、本発明に係る扇形表示装置では、複数の短冊状部材毎に表示素子を設ける場合において、配線パターンの複雑化を防止して製造コストの増加を抑制することが可能な扇形表示装置を提供することを目的とする。
【課題を解決するための手段】
【０００７】
この発明の扇形表示装置は、それぞれに表示素子を有する複数の短冊状部材と、複数の短冊状部材からなる集合体を扇形状に開閉可能に接続する回動用部材と、表示素子を表示制御する制御手段と、を備える扇形表示装置である。複数の短冊状部材は、それぞれに表示素子に接続する配線パターンを有している。配線パターンは、回動用部材を介して制御手段に接続する。
【０００８】
ここでは、複数の短冊状部材を扇形状に開閉する扇形表示装置において、配線パターンは、回動用部材を介して制御手段に接続されている。このため、複数の短冊状部材毎に表示素子を設けても各短冊状部材にそれぞれ設けられた表示素子から伸びる配線パターンの複雑化を防止することができる。
【０００９】
この構成において、複数の短冊状部材は互いに回動方向に対して分離可能な形状に形成されていても良い。これにより、各短冊状部材が回動方向に対して分離可能な形状に形成されている場合においても、回動用部材を介して各短冊部状部材を回動させることができる。
【００１０】
また、集合体を扇形状に開いたときに、全ての表示素子で形成される表示領域は四角形状となるように設定されていても良い。これにより、扇形に複数の短冊状部材を開いたときに、各表示素子によって四角形状の表示領域を形成することができる。
【００１１】
なお、表示素子は有機ＥＬによって形成されていても良い。これにより、有機ＥＬによって、映像を表示させることができる。
【発明の効果】
【００１２】
この発明によれば、複数の短冊状部材に表示素子を分離して設ける場合において、製造コストの増加を抑制することができる。
【発明を実施するための最良の形態】
【００１３】
以下に、この発明の一実施形態に係る扇形表示装置について図面を参照しつつ詳細に説明する。
【００１４】
図１は、本実施形態に係る扇形表示装置１全体の構成を示す正面図である。図２は、側面視における扇形表示装置１の構成を示す図である。図３は、図１に示す扇形表示装置１の短冊状部材２を収納した状態を示す図である。図４は、図２に示す領域Ａの構成について説明する模式図である。図５は、図１に示す各短冊状部材２のうち、中央に位置する短冊状部材２の正面視における構成を模式的に示す図である。
【００１５】
扇形表示装置１は、複数の短冊状部材２、回転軸３、表示部１０、制御部２０、を備えている。
【００１６】
図２に示すように、複数の短冊状部材２は、積層された状態で集合体４を形成している。各短冊状部材２は互いに分離して形成されており、それぞれほぼ同一の形状となっている。図５に示すように、各短冊状部材２の下端部には、回転軸３を積層方向に貫通させるために孔３Ａが形成されている。また、各短冊状部材２には、右上側端に係止部２Ａが形成されており、背面側の左上側端に係止部２Ｂが形成されている。また、回転軸３は、各短冊状部材２の下端部に形成された孔３Ａを貫通するように配置されており、各短冊状部材２の積層方向と直交する方向、すなわち回転軸３の円周方向に各短冊状部材２を回動可能に支持している。そして、背面側の短冊状部材２を回転軸３の円周方向に引き出すことにより、図３に示す閉じた状態から図１に示す開いた状態へと、背面側に位置する短冊状部材２から順に各短冊状部材２を扇状に展開させることができる。ここで、図１に示すように各短冊状部材２を扇状に展開したときに、各短冊状部材２は、係止部２Ａ、２Ｂによって係止された状態で保持される。そのため、正面視において左側に位置する短冊状部材２の右側端と、右側に位置する短冊状部材２の左側端は互いにわずかに重なり合った状態に保持される。
【００１７】
ここで、各短冊状部材２に形成されている係止部２Ａ、２Ｂについてより具体的に説明する。図４および図５に示すように、係止部２Ａは、各短冊状部材２の正面側の右上側端近傍に形成されている。一方、係止部２Ｂは、各短冊状部材２の背面側の左上側端近傍に形成されており、各短冊状部材２を扇状に展開したときに、背面側に位置する短冊状部材２に形成された係止部２Ａとそれぞれ係止する。これにより、各短冊状部材２を扇状に展開するときに、背面側に位置する短冊状部材２に形成された係止部２Ａと正面側に位置する短冊状部材２の係止部２Ｂが係止することで、各短冊状部材２が順次回転軸３の円周方向へと引き出される。
【００１８】
なお、扇形表示装置１では、各短冊状部材２は互いに分離している例を挙げて説明したが本発明はこれに限定されるものではない。例えば、各短冊状部材２は互いに繋がっており、各短冊状部材２を蛇腹状に折り曲げて収納するようにしても良い。この場合にも、本実施形態と同様の効果を得ることができる。但し、各短冊状部材２を互いに分離させておくことで、例えば、ユーザが片手で扇形表示装置１を回転軸３の円周方向に振るだけで各短冊状部材２を広げることができるといった効果を得ることもできる。このため、本実施形態のように各短冊状部材２を互いに分離させておくほうが使い勝手が良くより好ましい。
【００１９】
表示部１０は、複数の短冊状部材２毎に、その表面に設けられている全ての表示素子１０Ａによって形成される表示領域である。ここで、本実施形態において、表示素子１０Ａは有機ＥＬ（ElectroLuminescence）によって形成されている。なお、本発明はこれに限定されるものではない。例えば、用途や、製造コスト等に応じて、有機ＥＬの代わりにＬＥＤ（Light  Emitting  Diode）やＬＣＤ（Liquid  Crystal  Display）や電子ペーパを表示素子１０Ａとして用いても良い。
【００２０】
ここで、図１に示すように、複数の短冊状部材２の表面にそれぞれ設けられている表示素子１０Ａは短冊状部材２を扇状に展開したときに、扇面の中央部に四角形状の表示部１０を形成するように各短冊状部材２の正面側の表面に配置されている。なお、本発明はこれに限定されるものではない。例えば、扇面の全体を覆うように表示部１０を形成しても良い。また、表示部１０は扇面の正面側と背面側の両方に形成しても良い。また、表示部１０を四角形状にする代わりに、丸形のディスプレイを形成しても良い。
【００２１】
制御部２０は、図1に示すように、正面視において右端に位置する短冊状部材２に内蔵されており、表示部１０の表示を制御する。制御部２０は、制御部２０に記録されている映像を表示部１０に表示させる。なお、例えば、制御部２０にさらに外部からの入力端子を設けてＳＤカード等の記録メディアや、ＬＡＮケーブル、ＵＳＢケーブル等を介してＰＣ等からの入力に対応させるといったことも考えられる。この場合には、外部から入力された映像や画像等を表示部１０に表示させることができる。また、本実施形態では、制御部２０に含まれる内蔵電源から表示部１０へ電力を供給するが、例えば、上記と同様に入力端子を制御部２０に設けて外部から電力を供給するようにしても良い。
【００２２】
また、各短冊状部材２は、表示素子１０Ａと制御部２０とを接続する配線パターン２０Ａをそれぞれ有している。各配線パターン２０Ａは、各短冊状部材２の内部に配置されている。ここで、表示素子１０Ａと制御部２０とを接続する配線パターン２０Ａについてより具体的に説明すると以下の通りである。
【００２３】
各短冊状部材２に設けられている配線パターン２０Ａは、各短冊状部材２の内部において表示素子１０Ａから回転軸３へと延びている。そして、図１に示すように、各配線パターン２０Ａは回転軸３で合流してから制御部２０へと延びている。
【００２４】
このため、複数の短冊状部材２にそれぞれ表示素子を分離して設ける場合において、各短冊状部材２にそれぞれ設けられた表示素子１０Ａから延びる配線パターンが複雑化するのを防止している。これにより、製造コストの増加を抑制することができる。
【００２５】
なお、本実施形態では、各短冊状部材２に設けられた表示素子１０Ａから延びる各配線パターン２０Ａは回転軸３へと延びて全て合流するように配置されている例を挙げて説明したが、本発明はこれに限定されるものではない。例えば、制御部２０が内蔵されている短冊状部材２の配線パターンについては、表示素子１０Ａから制御部２０へ直接延びる配線パターンを設けても良い。この場合にも本実施形態と同様の効果を得ることができる。
【００２６】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図されている。
【図面の簡単な説明】
【００２７】
【図１】扇形表示装置全体の構成を示す正面図である。
【図２】図１に示す扇形表示装置の構成を示す側面図である。
【図３】図１に示す扇形表示装置において各短冊状部材を収納した状態を示す図である。
【図４】図２に示す領域Ａ付近の構成を模式的に示す図である。
【図５】短冊状部材の正面視における構成を模式的に示す図である。
【符号の説明】
【００２８】
１  扇形表示装置
２  短冊状部材
３  回転軸
４  集合体
１０  表示部
１０Ａ  表示素子
２０  制御部
２０Ａ  配線パターン
【図１】
2008304591.tif 000003
【図２】
2008304591.tif 000004
【図３】
2008304591.tif 000005
【図４】
2008304591.tif 000006
【図５】
2008304591.tif 000007